(57)【要約】【課題】コネクタの上下向きを逆にしても、コネクタを介して映像音声信号および制御信号を伝送することが可能な技術が提供されることが望まれる。【解決手段】所定のデータ容量をフレーム単位とするフォーマットにより映像音声信号から１以上の映像音声フレームを生成する第１のフレーム生成部と、前記所定のデータ容量と同一のデータ容量をフレーム単位とするフォーマットにより制御信号から１以上の制御フレームを生成する第２のフレーム生成部と、を備える、フレーム生成装置が提供される。【選択図】図３
2017085968.tif 000002
【特許請求の範囲】
【請求項１】
所定のデータ容量をフレーム単位とするフォーマットにより映像音声信号から１以上の映像音声フレームを生成する第１のフレーム生成部と、
前記所定のデータ容量と同一のデータ容量をフレーム単位とするフォーマットにより制御信号から１以上の制御フレームを生成する第２のフレーム生成部と、
を備える、フレーム生成装置。
【請求項２】
前記第１のフレーム生成部は、前記映像音声フレームそれぞれの先頭にフレーム開始識別子を付し、
前記第２のフレーム生成部は、前記制御フレームそれぞれの先頭に前記フレーム開始識別子を付する、
請求項１に記載のフレーム生成装置。
【請求項３】
前記フレーム開始識別子は、少なくとも前記映像音声信号および前記制御信号には存在しない所定のコードに置換される、
請求項２に記載のフレーム生成装置。
【請求項４】
前記第１のフレーム生成部は、前記映像音声フレームそれぞれの所定位置に第１の伝送路を識別するための情報をレーン識別子として付し、
前記第２のフレーム生成部は、前記制御フレームそれぞれの所定位置に第２の伝送路を識別するための情報をレーン識別子として付する、
請求項１に記載のフレーム生成装置。
【請求項５】
前記フレーム生成装置は、
前記映像音声フレームを前記第１の伝送路に接続された第１の送信部に出力するとともに、前記制御フレームを前記第２の伝送路に接続された第２の送信部に出力するフレーム出力部を備える、
請求項４に記載のフレーム生成装置。
【請求項６】
前記フレーム出力部は、前記制御フレームの誤り率が前記映像音声フレームの誤り率よりも低い場合、新たな映像音声フレームを前記第２の送信部に出力するように切り替えを行い、新たな制御フレームを前記第１の送信部に出力するように切り替えを行う、
請求項５に記載のフレーム生成装置。
【請求項７】
前記第１のフレーム生成部は、前記映像音声フレームそれぞれの所定位置に前記映像音声信号に対応する情報を情報種類識別子として付し、
前記第２のフレーム生成部は、前記制御フレームそれぞれの所定位置に前記制御信号に対応する情報を情報種類識別子として付する、
請求項１に記載のフレーム生成装置。
【請求項８】
所定のデータ容量をフレーム単位とするフォーマットにより映像音声信号から１以上の映像音声フレームを生成することと、
前記所定のデータ容量と同一のデータ容量をフレーム単位とするフォーマットにより制御信号から１以上の制御フレームを生成することと、
を含む、フレーム生成方法。
【請求項９】
所定のデータ容量をフレーム単位とする１以上の第１のフレームから第１の信号を抽出する第１の信号抽出部と、
前記所定のデータ容量と同一のデータ容量をフレーム単位とする１以上の第２のフレームから第２の信号を抽出する第２の信号抽出部と、を備え、
映像音声信号および制御信号のうち、一方が前記第１の信号であり、他方が前記第２の信号である、信号抽出装置。
【請求項１０】
前記第１の信号抽出部は、前記第１のフレームの先頭に付されたフレーム開始識別子の位置に基づいて前記第１の信号を抽出し、
前記第２の信号抽出部は、前記第２のフレームの先頭に付された前記フレーム開始識別子の位置に基づいて前記第２の信号を抽出する、
請求項９に記載の信号抽出装置。
【請求項１１】
前記フレーム開始識別子は、少なくとも前記映像音声信号および前記制御信号には存在しない所定のコードから置換される、
請求項１０に記載の信号抽出装置。
【請求項１２】
前記第１の信号抽出部は、前記第１のフレームそれぞれからレーン識別子を抽出し、
前記第２の信号抽出部は、前記第２のフレームそれぞれからレーン識別子を抽出する、
請求項９に記載の信号抽出装置。
【請求項１３】
前記信号抽出装置は、
前記第１のフレームから抽出された前記レーン識別子が第１の伝送路を識別するための情報である場合には、前記第１の信号を第１の出力部から出力するとともに、前記第２の信号を第２の出力部から出力する信号出力部を備える、
請求項１２に記載の信号抽出装置。
【請求項１４】
前記信号出力部は、前記第１のフレームから抽出された前記レーン識別子が第２の伝送路を識別するための情報である場合には、前記第１の信号を前記第２の出力部から出力し、前記第２の信号を前記第１の出力部から出力するように切り替えを行う、
請求項１３に記載の信号抽出装置。
【請求項１５】
前記第１の信号抽出部は、前記第１のフレームそれぞれから情報種類識別子を抽出し、
前記第２の信号抽出部は、前記第２のフレームそれぞれから情報種類識別子を抽出する、
請求項９に記載の信号抽出装置。
【請求項１６】
前記信号抽出装置は、
前記第１のフレームから抽出された前記情報種類識別子が前記映像音声信号に対応する情報である場合には、前記第１の信号を第１の出力部から出力するとともに、前記第２の信号を第２の出力部から出力する信号出力部を備える、
請求項１５に記載の信号抽出装置。
【請求項１７】
前記信号出力部は、前記第１のフレームから抽出された前記情報種類識別子が前記制御信号に対応する情報である場合には、前記第１の信号を前記第２の出力部から出力し、前記第２の信号を前記第１の出力部から出力するように切り替えを行う、
請求項１６に記載の信号抽出装置。
【請求項１８】
前記信号抽出装置は、
前記第２のフレームの誤り率が前記第１のフレームの誤り率よりも低いか否かを判定する誤り率判定部を備える、
請求項１５に記載の信号抽出装置。
【請求項１９】
所定のデータ容量をフレーム単位とする１以上の第１のフレームから第１の信号を抽出することと、
前記所定のデータ容量と同一のデータ容量をフレーム単位とする１以上の第２のフレームから第２の信号を抽出することと、を含み、
映像音声信号および制御信号のうち、一方が前記第１の信号であり、他方が前記第２の信号である、信号抽出方法。
【請求項２０】
所定のデータ容量をフレーム単位とするフォーマットにより映像音声信号から１以上の映像音声フレームを生成する第１のフレーム生成部と、
前記所定のデータ容量と同一のデータ容量をフレーム単位とするフォーマットにより制御信号から１以上の制御フレームを生成する第２のフレーム生成部と、
前記映像音声フレームを送信する第１の送信部と、
前記制御フレームを送信する第２の送信部と、を備える、送信器と、
前記所定のデータ容量をフレーム単位とする１以上の第１のフレームを受信する第１の受信部と、
前記所定のデータ容量と同一のデータ容量をフレーム単位とする１以上の第２のフレームを受信する第２の受信部と、
前記第１のフレームから第１の信号を抽出する第１の信号抽出部と、
前記第２のフレームから第２の信号を抽出する第２の信号抽出部と、を備え、
前記映像音声信号および前記制御信号のうち、一方が前記第１の信号であり、他方が前記第２の信号である、受信器と、
を有する、画像伝送システム。
【発明の詳細な説明】
【技術分野】
【０００１】
本開示は、フレーム生成装置、フレーム生成方法、信号抽出装置、信号抽出方法および画像伝送システムに関する。
【背景技術】
【０００２】
近年、機器間の映像伝送規格として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）およびＤｉｓｐｌａｙＰｏｒｔが規格化され、一般的に普及している。【０００３】
ＨＤＭＩにおいては、Ｓｏｕｒｃｅ機器とＳｉｎｋ機器とは、ＨＤＭＩケーブルを介して接続されている。【０００４】
ＨＤＭＩケーブルは、Ｓｏｕｒｃｅ機器からＳｉｎｋ機器へＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号を伝送する。また、ＨＤＭＩケーブルは、２種類の双方向制御信号であるＤＤＣ（Ｄｉｓｐｌａｙ  Ｄａｔａ  Ｃｈａｎｎｅｌ）およびＣＥＣ（Ｃｏｎｓｕｍｅｒ  Ｅｌｅｃｔｒｏｎｉｃｓ  Ｃｏｎｔｒｏｌ）を伝送する。さらに、ＨＤＭＩケーブルは、機器接続を検出するための＋５ｖ信号およびＨＰＤ（Ｈｏｔ  Ｐｌｕｇ  Ｄｅｔｅｃｔ）信号を伝送する。【０００５】
ＴＭＤＳ信号は、映像音声信号を伝送する３チャンネルと映像クロックを伝送するチャンネルとの合計４チャンネルで構成される。また、ＤＤＣは、Ｉ２Ｃと同一フォーマットでＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報などといった制御信号であり、ＣＥＣは、１チャンネルで双方向の機器間動作制御信号である。つまり、映像音声信号と制御信号とは異なるフォーマットによってやり取りされる。【０００６】
このように、ＨＤＭＩ機器においては、映像音声信号と制御信号とが異なるフォーマットによって伝送されるため、映像音声信号および制御信号それぞれに対応した信号処理回路が必要である。そのため、Ｓｏｕｒｃｅ機器とＳｉｎｋ機器との接続において、映像音声信号および制御信号それぞれが対応する信号処理回路に供給されるように、コネクタの上下向きに制限があり、上下向きを逆にすること（以下、「逆差し」とも言う。）ができない仕組みになっている。【０００７】
また、高速信号である映像音声信号と低速信号である制御信号とを分けて、それぞれの信号を別個に光伝送する技術が開示されている（例えば、特許文献１参照）。
【先行技術文献】
【特許文献】
【０００８】
【特許文献１】特開２００５−６５０３４号公報
【発明の概要】
【発明が解決しようとする課題】
【０００９】
しかし、かかる技術においても、ユーザは、コネクタの上下向きが正常であることを確認しながら、コネクタを機器に接続しなければならないため、ユーザにとっては不便であった。そこで、コネクタの上下向きを逆にしても、コネクタを介して映像音声信号および制御信号を伝送することが可能な技術が提供されることが望まれる。
【課題を解決するための手段】
【００１０】
本開示によれば、所定のデータ容量をフレーム単位とするフォーマットにより映像音声信号から１以上の映像音声フレームを生成する第１のフレーム生成部と、前記所定のデータ容量と同一のデータ容量をフレーム単位とするフォーマットにより制御信号から１以上の制御フレームを生成する第２のフレーム生成部と、を備える、フレーム生成装置が提供される。【００１１】
本開示によれば、所定のデータ容量をフレーム単位とするフォーマットにより映像音声信号から１以上の映像音声フレームを生成することと、前記所定のデータ容量と同一のデータ容量をフレーム単位とするフォーマットにより制御信号から１以上の制御フレームを生成することと、を含む、フレーム生成方法が提供される。【００１２】
本開示によれば、所定のデータ容量をフレーム単位とする１以上の第１のフレームから第１の信号を抽出する第１の信号抽出部と、前記所定のデータ容量と同一のデータ容量をフレーム単位とする１以上の第２のフレームから第２の信号を抽出する第２の信号抽出部と、を備え、映像音声信号および制御信号のうち、一方が前記第１の信号であり、他方が前記第２の信号である、信号抽出装置が提供される。【００１３】
本開示によれば、所定のデータ容量をフレーム単位とする１以上の第１のフレームから第１の信号を抽出することと、前記所定のデータ容量と同一のデータ容量をフレーム単位とする１以上の第２のフレームから第２の信号を抽出することと、を含み、映像音声信号および制御信号のうち、一方が前記第１の信号であり、他方が前記第２の信号である、信号抽出方法が提供される。【００１４】
本開示によれば、所定のデータ容量をフレーム単位とするフォーマットにより映像音声信号から１以上の映像音声フレームを生成する第１のフレーム生成部と、前記所定のデータ容量と同一のデータ容量をフレーム単位とするフォーマットにより制御信号から１以上の制御フレームを生成する第２のフレーム生成部と、前記映像音声フレームを送信する第１の送信部と、前記制御フレームを送信する第２の送信部と、を備える、送信器と、前記所定のデータ容量をフレーム単位とする１以上の第１のフレームを受信する第１の受信部と、前記所定のデータ容量と同一のデータ容量をフレーム単位とする１以上の第２のフレームを受信する第２の受信部と、前記第１のフレームから第１の信号を抽出する第１の信号抽出部と、前記第２のフレームから第２の信号を抽出する第２の信号抽出部と、を備え、前記映像音声信号および前記制御信号のうち、一方が前記第１の信号であり、他方が前記第２の信号である、受信器と、を有する、画像伝送システムが提供される。
【発明の効果】
【００１５】
以上説明したように本開示によれば、コネクタの上下向きを逆にしても、コネクタを介して映像音声信号および制御信号を伝送することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１６】
【図１】一般的な複数のＨＤＭＩ機器同士の接続を示す図である。
【図２】一般的なＨＤＭＩ機器のコネクタのピンアサインの例を示す図である。
【図３】本開示の一実施形態に係る画像伝送システムの構成の一例を示す図である。
【図４】フレーム生成部の機能構成例を示す図である。
【図５】本実施形態に係るフレームのフォーマットを示す図である。
【図６】信号抽出部の機能構成例を示す図である。
【図７】同実施形態に係る画像伝送システムの構成の他の一例を示す図である。
【発明を実施するための形態】
【００１７】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１８】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１９】
なお、説明は以下の順序で行うものとする。
１．背景
２．画像伝送システムの構成例
２．１．コネクタの上下向きが正常な場合
２．２．コネクタの上下向きが逆の場合
３．むすび
【００２０】
＜１．背景＞
まず、本実施形態の背景について説明する。近年、機器間の映像伝送規格として、ＨＤＭＩおよびＤｉｓｐｌａｙＰｏｒｔが規格化され、一般的に普及している。図１は、一般的な複数のＨＤＭＩ機器同士の接続を示す図である。図１に示すように、Ｓｏｕｒｃｅ機器１とＳｉｎｋ機器２とは、ＨＤＭＩケーブル（チャネル群３１およびライン群３２）を介して接続されている。
【００２１】
Ｓｏｕｒｃｅ機器１は、映像音声信号（Ｖｉｄｅｏ  Ａｕｄｉｏ１１）を生成し、生成した映像音声信号をＴＭＤＳ  ｅｎｃｏｄｅｒ１２によってＴＭＤＳ符号化し、ＴＭＤＳ符号化された映像音声信号を送信する。チャネル群３１は、Ｓｏｕｒｃｅ機器１からＳｉｎｋ機器２へＴＭＤＳ信号を伝送する。また、Ｓｉｎｋ機器２は、ＴＭＤＳ符号化された映像音声信号を受信し、受信された映像音声信号をＴＭＤＳ  ｄｅｃｏｄｅｒ２１によって復号し、復号された映像音声信号をＭｏｎｉｔｏｒ  ｓｐｅａｋｅｒ２２によって再生する。
【００２２】
また、ライン群３２は、２種類の双方向制御信号であるＤＤＣおよびＣＥＣを伝送する。具体的には、Ｓｏｕｒｃｅ機器１において、マイコン１３からＤＤＣがＤＤＣ  ｅｎｃ／ｄｅｃ１４に入力されると、ＤＤＣ  ｅｎｃ／ｄｅｃ１４によってＤＤＣが符号化され、送信される。ライン群３２は、Ｓｏｕｒｃｅ機器１からＳｉｎｋ機器２へＤＤＣを伝送する。Ｓｉｎｋ機器２において、ＤＤＣがＤＤＣ  ｅｎｃ／ｄｅｃ２４によって復号され、マイコン２３に出力される。
【００２３】
一方、Ｓｉｎｋ機器２において、マイコン２３からＤＤＣがＤＤＣ  ｅｎｃ／ｄｅｃ２４に入力されると、ＤＤＣ  ｅｎｃ／ｄｅｃ２４によってＤＤＣが符号化され、送信される。ライン群３２は、Ｓｉｎｋ機器２からＳｏｕｒｃｅ機器１へＤＤＣを伝送する。Ｓｏｕｒｃｅ機器１において、ＤＤＣがＤＤＣ  ｅｎｃ／ｄｅｃ１４によって復号され、マイコン１３に出力される。
【００２４】
また、Ｓｏｕｒｃｅ機器１において、マイコン１３からＣＥＣがＣＥＣ  ｅｎｃ／ｄｅｃ１５に入力されると、ＣＥＣ  ｅｎｃ／ｄｅｃ１５によってＣＥＣが符号化され、送信される。ライン群３２は、Ｓｏｕｒｃｅ機器１からＳｉｎｋ機器２へＣＥＣを伝送する。Ｓｉｎｋ機器２において、ＣＥＣがＣＥＣ  ｅｎｃ／ｄｅｃ２５によって復号され、マイコン２３に出力される。
【００２５】
一方、Ｓｉｎｋ機器２において、マイコン２３からＣＥＣがＣＥＣ  ｅｎｃ／ｄｅｃ２５に入力されると、ＣＥＣ  ｅｎｃ／ｄｅｃ２５によってＣＥＣが符号化され、送信される。ライン群３２は、Ｓｉｎｋ機器２からＳｏｕｒｃｅ機器１へＣＥＣを伝送する。Ｓｏｕｒｃｅ機器１において、ＣＥＣがＣＥＣ  ｅｎｃ／ｄｅｃ１５によって復号され、マイコン１３に出力される。
【００２６】
ＴＭＤＳ信号は、映像音声信号を伝送する３チャンネルと映像クロックを伝送するチャンネルとの合計４チャンネルで構成される。また、ＤＤＣは、Ｉ２Ｃと同一フォーマットでＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報などといった制御信号であり、ＣＥＣは、１チャンネルで双方向の機器間動作制御信号である。つまり、映像音声信号と制御信号とは異なるフォーマットによってやり取りされる。
【００２７】
図２は、一般的なＨＤＭＩ機器のコネクタのピンアサインの例を示す図である。図２に示すように、ＨＤＭＩ機器のコネクタには、ピン番号「１」からピン番号「１９」までのピンが設けられている。例えば、ＴＭＤＳ信号は、ピン番号「１」からピン番号「１２」までのピンを介して通信され、ＣＥＣは、ピン番号「１３」のピンを介して通信され、ＤＤＣは、ピン番号「１５」からピン番号「１６」までのピンを介して通信される。
【００２８】
このようなＨＤＭＩ機器においては、映像音声信号と制御信号とが異なるフォーマットによって伝送されるため、映像音声信号および制御信号それぞれに対応した信号処理回路が必要である。そのため、図２に示すように、Ｓｏｕｒｃｅ機器１とＳｉｎｋ機器２との接続において、映像音声信号および制御信号それぞれが対応する信号処理回路に供給されるように、コネクタの上下向きには制限があり、逆差しができない仕組みになっている。
【００２９】
また、高速信号である映像音声信号と低速信号である制御信号とを分けて、それぞれの信号を別個に光伝送する技術が開示されている（例えば、特開２００５−６５０３４号公報）。かかる技術においても、ユーザは、コネクタの上下向きが正常であることを確認しながら、コネクタを機器に接続しなければならないため、ユーザにとっては不便であった。
【００３０】
また、Ｓｏｕｒｃｅ機器１とＳｉｎｋ機器２とが光接続される場合、機器同士を接続するときにコネクタに埃等の遺物が入り込むと、遺物による伝送の妨げによって光伝送路における伝送品質が劣化し、光伝送路を介して情報が正しく伝送できない場合がある。特に、制御信号が正しく伝送されない場合、機器間制御などが正しく行われ得ないため、映像音声信号の情報が正しく伝送できない場合よりも、機器に対して与えられる影響がより大きい。
【００３１】
そこで、本明細書では、コネクタの上下向きを逆にしても、コネクタを介して映像音声信号および制御信号を伝送することが可能な技術を提案する。また、本明細書では、映像音声信号と比較して高い信頼性（低い誤り率）が要求される制御信号が正しく伝送される可能性を高めることが可能な技術を提案する。
【００３２】
以上、本実施形態の背景について説明した。
【００３３】
［２．画像伝送システムの構成例］
続いて、図３を参照しながら、画像伝送システムの構成例について説明する。図３は、本実施形態に係る画像伝送システムの構成の一例を示す図である。図３に示すように、画像伝送システム６００は、映像音声生成器４００と、送信器１００と、受信器２００と、映像音声再生器５００とを有する。送信器１００と受信器２００とは、ケーブル３００を介して接続されている。本実施形態では、ケーブル３００に伝送路３０１−１（第１の伝送路），伝送路３０１−２（第２の伝送路）が含まれている例を説明するが、伝送路３０１の本数は複数であれば特に限定されない。
【００３４】
（２．１．コネクタの上下向きが正常な場合）
図３に示した例では、送信器１００のＬＤ（レーザダイオード）１０１−１とケーブル３００のコネクタＣＮ１とが接続され、受信器２００のＰＤ（フォトディテクタ）２０１−１とケーブル３００のコネクタＣＮ１とが接続されている。また、送信器１００のＬＤ１０１−２とケーブル３００のコネクタＣＮ２とが接続され、受信器２００のＰＤ２０１−２とケーブル３００のコネクタＣＮ２とが接続されている。このような状態はコネクタの上下向きが正常な状態である。なお、送信器１００は、「フレーム生成装置」として機能し得る。また、受信器２００は、「信号抽出装置」として機能し得る。
【００３５】
映像音声生成器４００は、映像音声信号（ＡＶ情報（Ａｕｄｉｏ  Ｖｉｄｅｏ  Ｉｎｆｏｒｍａｔｉｏｎ）４０１）を生成し、生成した映像音声信号を情報パケットとして送信器１００に出力するとともに、映像音声信号に対応する情報（例えば、「１」）を情報種類識別子として送信器１００に出力する。また、映像音声生成器４００は、制御信号（制御情報４０２）を生成し、生成した制御信号を情報パケットとして送信器１００に出力するとともに、制御信号に対応する情報（例えば、「０」）を情報種類識別子として送信器１００に出力する。
【００３６】
なお、本実施形態に係る制御信号は、映像音声信号の再生を制御するための信号、機器制御信号などといった各種制御信号を含む。また、本実施形態において、映像音声生成器４００による映像音声信号のデータレートおよび制御信号のデータレートは、送信器１００によって送信可能なフレーム送信容量、受信器２００によって受信可能なフレーム受信容量より小さい。
【００３７】
送信器１００は、フレーム生成部１０４−１（第１のフレーム生成部）、フレーム生成部１０４−２（第２のフレーム生成部）、フレーム出力部１０７、ＬＤＤ（レーザダイオードドライバ）１０２−１、ＬＤＤ１０２−１、ＬＤ１０１−１、ＬＤ１０１−２および受信部１０９を備える。フレーム生成部１０４−１には、映像音声信号が入力され、フレーム生成部１０４−２には、制御信号が入力される。図４は、フレーム生成部１０４の機能構成例を示す図である。図４を参照すると、フレーム生成部１０４の機能構成例が、フレーム生成部１０４−１およびフレーム生成部１０４−２を区別せずに示されている。図５は、本実施形態に係るフレームのフォーマットを示す図である。
【００３８】
図４に示すように、フレーム生成部１０４は、ＦＩＦＯ１００３と、誤り訂正符号化器１００４と、ヘッダ生成部１００５と、マルチプレクサ１００６とを備える。まず、フレーム生成部１０４−１について説明する。ＦＩＦＯ１００３は、映像音声生成器４００から情報パケット入力端子１００１を介して入力された映像音声信号（情報パケット）を取得し、映像音声信号の速度調整を行う。そして、ＦＩＦＯ１００３は、速度調整後の映像音声信号を誤り訂正符号化器１００４に出力する。
【００３９】
誤り訂正符号化器１００４は、映像音声信号（情報パケット）に基づいて誤り訂正符号化を行い、誤り訂正パリティを生成する。例えば、図５に示すように、誤り訂正符号化器１００４は、ｋバイトの映像音声信号（情報パケット）に基づいてｌバイトの誤り訂正パリティを生成する。誤り訂正符号化器１００４による誤り訂正符号化には、ＲＳ（Ｒｅｅｄ−Ｓｏｌｏｍｏｎ）符号の符号化などが用いられる。映像音声信号（情報パケット）および誤り訂正パリティは、マルチプレクサ１００６に出力される。
【００４０】
ヘッダ生成部１００５は、映像音声信号（情報パケット）と並行して、フレーム出力部１０７からレーン識別子入力端子１０１１を介して入力されたレーン識別子を取得する。レーン識別子は、フレーム生成部１０４−１によって生成された映像音声フレームが伝送される伝送路の識別子であり、後に説明するレーン切り替えが行われていない場合においては、伝送路３０１−１の識別子（例えば、「１」）がフレーム生成部１０４−１によって取得される。
【００４１】
また、ヘッダ生成部１００５は、映像音声生成器４００から情報種類識別子入力端子１００２を介して入力された映像音声信号に対応する情報を情報種類識別子として取得する。ヘッダ生成部１００５は、フレーム開始識別子を伝送対象のフレームの先頭に付し、レーン識別子を伝送対象のフレームの所定位置に付し、情報種類識別子を伝送対象のフレームの所定位置に付する。
【００４２】
例えば、ヘッダ生成部１００５は、図５に示すように、フレームの開始を識別するためのフレーム開始識別子、取得したレーン識別子および情報種類識別子を、順にｍバイトのヘッダに組み込み、マルチプレクサ１００６に出力する。図５に示した各バイト数である、ｋとｌとｍとｎとの間には、ｎ＝ｍ＋ｋ＋ｌという関係が成立している。
【００４３】
フレーム開始識別子には、映像音声信号および制御信号には存在しない所定のコード（以下、「特殊データ」とも言う。）のいずれか一つが割り当てられている。例えば、特殊データは、伝送路を送受信されるデータの符号化に依存する。例えば、伝送路を送受信されるデータの符号化にＡＮＳＩ  ８ｂ／１０ｂ変換が用いられる場合、特殊コードには、Ｋコードが割り当てられてよい。例えば、フレーム開始識別子には、Ｋ２８．５と呼ばれているＫコード（０ｘＢＣ）がＮバイト連続したデータが割り当てられてよい。
【００４４】
マルチプレクサ１００６は、ヘッダ生成部１００５から出力されたヘッダパケットと誤り訂正符号化器１００４から出力された映像音声信号（情報パケット）および誤り訂正パリティとを順に出力することによって、映像音声信号を含む伝送対象のフレーム（以下、「映像音声フレーム」とも言う。）を生成する。マルチプレクサ１００６によって生成された映像音声フレームは、フレーム出力部１０７に出力される。
【００４５】
以上に説明したように、フレーム生成部１０４−１によって、所定のデータ容量（ｎバイト）をフレーム単位とするフォーマットにより映像音声信号から映像音声フレームが生成される。また、フレーム生成部１０４−１によって、映像音声フレームの生成が複数回実行されることによって、所定のデータ容量（ｎバイト）をフレーム単位とするフォーマットにより映像音声信号から複数の映像音声フレームが生成される。
【００４６】
続いて、フレーム生成部１０４−２について説明する。ＦＩＦＯ１００３は、映像音声生成器４００から情報パケット入力端子１００１を介して入力された制御信号（情報パケット）を取得し、制御信号の速度調整を行う。そして、ＦＩＦＯ１００３は、速度調整後の制御信号を誤り訂正符号化器１００４に出力する。
【００４７】
誤り訂正符号化器１００４は、制御信号（情報パケット）に対して符号化を行い、符号化後の情報パケットおよび誤り訂正パリティを生成する。例えば、図５に示すように、誤り訂正符号化器１００４は、ｋバイトの制御信号（情報パケット）に対してｌバイトの誤り訂正パリティを生成する。誤り訂正符号化器１００４による符号化には、ＲＳ符号の符号化などが用いられる。符号化後の制御信号（情報パケット）および誤り訂正パリティは、マルチプレクサ１００６に出力される。
【００４８】
ヘッダ生成部１００５は、制御信号（情報パケット）と並行して、フレーム出力部１０７からレーン識別子入力端子１０１１を介して入力されたレーン識別子を取得する。レーン識別子は、フレーム生成部１０４−２によって生成された制御フレームが伝送される伝送路の識別子であり、後に説明するレーン切り替えが行われていない場合においては、伝送路３０１−２の識別子（例えば、「２」）がフレーム生成部１０４−２によって取得される。
【００４９】
また、ヘッダ生成部１００５は、映像音声生成器４００から情報種類識別子入力端子１００２を介して入力された制御信号に対応する情報を情報種類識別子として取得する。ヘッダ生成部１００５は、フレーム開始識別子を伝送対象のフレームの先頭に付し、レーン識別子を伝送対象のフレームの所定位置に付し、情報種類識別子を伝送対象のフレームの所定位置に付する。
【００５０】
例えば、ヘッダ生成部１００５は、図５に示すように、フレームの開始を識別するためのフレーム開始識別子、取得したレーン識別子および情報種類識別子を、順次にｍバイトのヘッダに組み込み、マルチプレクサ１００６に出力する。フレーム開始識別子は、フレーム生成部１０４−１によってヘッダに組み込まれるフレーム開始識別子と同様の性質を有する。
【００５１】
マルチプレクサ１００６は、ヘッダ生成部１００５から出力されたヘッダパケットと誤り訂正符号化器１００４から出力された制御信号（情報パケット）および誤り訂正パリティとを順に出力することによって、制御信号を含む伝送対象のフレーム（以下、「制御フレーム」とも言う。）を生成する。マルチプレクサ１００６によって生成された制御フレームは、フレーム出力部１０７に出力される。
【００５２】
以上に説明したように、フレーム生成部１０４−２によって、映像音声フレームのデータ容量（ｎバイト）と同一のデータ容量をフレーム単位とするフォーマットにより制御信号から制御フレームが生成される。また、フレーム生成部１０４−２によって、制御フレームの生成が複数回実行されることによって、映像音声フレームのデータ容量（ｎバイト）と同一のデータ容量をフレーム単位とするフォーマットにより制御信号から複数の制御フレームが生成される。
【００５３】
フレーム出力部１０７は、フレーム生成部１０４−１から入力端子Ｉ−１を介して入力された映像音声フレームを、出力端子Ｏ−１を介してＬＤ１０１−１に出力する。一方、フレーム出力部１０７は、フレーム生成部１０４−２から入力端子Ｉ−２を介して入力された制御フレームを、出力端子Ｏ−２を介してＬＤ１０１−２に出力する。なお、フレーム出力部１０７は、映像音声フレームおよび制御フレームに対して符号化を行ってもよい。具体的には、フレーム出力部１０７は、映像音声フレームおよび制御フレームに対して８ｂ／１０ｂ符号化を行ってもよい。
【００５４】
例えば、フレーム出力部１０７は、映像音声フレームおよび制御フレームのうち、フレーム開始識別子を対応する１０ビットの特殊データに置換し、フレーム開始識別子以外のデータを１０ビットデータに置換してもよい。また、フレーム出力部１０７は、符号化された映像音声フレームおよび制御フレームを高速伝送に適した形式にすべくパラレルデータからシリアルデータに変換してもよい。ＬＤＤ１０２−１は、ＬＤ１０１−１を駆動し、ＬＤＤ１０２−２は、ＬＤ１０１−２を駆動する。
【００５５】
ＬＤ１０１−１（第１の送信部）は、フレーム出力部１０７からＬＤＤ１０２−１を介して出力された映像音声フレームを、コネクタＣＮ１と光ファイバによって構成された伝送路３０１−１とを介して、受信器２００に送信する。なお、本実施形態においては、伝送路３０１−１が光ファイバによって構成され、ＬＤ１０１−１によって映像音声フレームを光信号に変換してから受信器２００に送信する場合を想定するが、送信器１００から受信器２００に送信される信号の種類は限定されない。例えば、送信器１００は電気信号により映像音声フレームを受信器２００に送信してもよい。
【００５６】
ＬＤ１０１−２（第２の送信部）は、フレーム出力部１０７からＬＤＤ１０２−２を介して出力された制御フレームを、コネクタＣＮ２と光ファイバによって構成された伝送路３０１−２とを介して、受信器２００に送信する。なお、本実施形態においては、伝送路３０１−２が光ファイバによって構成され、ＬＤ１０１−２によって制御フレームを光信号に変換してから受信器２００に送信する場合を想定するが、送信器１００から受信器２００に送信される信号の種類は限定されない。例えば、送信器１００は電気信号により制御フレームを受信器２００に送信してもよい。
【００５７】
受信器２００は、ＰＤ２０１−１（第１の受信部）、ＰＤ２０１−２（第２の受信部）、増幅器２０２−１、増幅器２０２−２、信号抽出部２０４−１（第１の信号抽出部）、信号抽出部２０４−２（第２の信号抽出部）、信号出力部２０７、誤り率判定部２０８および送信部２０９を備える。ＰＤ２０１−１は、送信器１００から送信されたフレーム（映像音声フレームおよび制御フレームのうちの一方）を受信する。また、ＰＤ２０１−２は、送信器１００から光信号によって送信されたフレーム（映像音声フレームおよび制御フレームのうちの他方）を受信する。
【００５８】
なお、以下では、ＰＤ２０１−１によって受信されるフレームを「第１のフレーム」と称する場合があり、ＰＤ２０１−２によって受信されるフレームを「第２のフレーム」と称する場合がある。
【００５９】
図３に示した例では、ＰＤ２０１−１は、コネクタＣＮ１と伝送路３０１−１とを介してＬＤ１０１−１と接続されている。そこで、ＰＤ２０１−１は、ＬＤ１０１−１によって送信された映像音声フレームを第１のフレームとして、コネクタＣＮ１と伝送路３０１−１とを介して受信する。一方、ＰＤ２０１−２は、コネクタＣＮ２と伝送路３０１−２とを介してＬＤ１０１−２と接続されている。そこで、ＰＤ２０１−２は、ＬＤ１０１−２によって送信された制御フレームを第２のフレームとして、コネクタＣＮ２と伝送路３０１−２とを介して受信する。
【００６０】
ＰＤ２０１−１は、送信器１００から光信号によって送信された第１のフレームを受光して電気信号に変換する。なお、本実施形態においては、伝送路３０１−１が光ファイバによって構成され、ＰＤ２０１−１によってフレームを受光して電気信号に変換する場合を想定するが、上記したように、送信器１００から受信器２００に送信される信号の種類は限定されない。例えば、受信器２００は電気信号により第１のフレームを送信器１００から受信してもよい。
【００６１】
ＰＤ２０１−２は、コネクタＣＮ２と伝送路３０１−２とを介して送信器１００から光信号によって送信された第２のフレームを受光して電気信号に変換する。なお、本実施形態においては、伝送路３０１−２が光ファイバによって構成され、ＰＤ２０１−２によってフレームを受光して電気信号に変換する場合を想定するが、上記したように、送信器１００から受信器２００に送信される信号の種類は限定されない。例えば、受信器２００は電気信号により第２のフレームを送信器１００から受信してもよい。
【００６２】
増幅器２０２−１は、ＰＤ２０１−１から出力された第１のフレーム（電気信号）を増幅し、増幅したフレーム（電気信号）を信号抽出部２０４−１に出力し、増幅器２０２−２は、ＰＤ２０１−２から出力された第２のフレーム（電気信号）を増幅し、増幅したフレーム（電気信号）を信号抽出部２０４−２に出力する。例えば、増幅器２０２−１および増幅器２０２−２は、電流信号に対してインピーダンス変換を行うことによって電圧信号を得た後、電圧信号に対して振幅増幅を行ってよい。信号抽出部２０４−１には、ＰＤ２０１−１から増幅器２０２−１を介して第１のフレームが入力され、信号抽出部２０４−２には、ＰＤ２０１−２から増幅器２０２−１を介して第２のフレームが入力される。図６は、信号抽出部２０４の機能構成例を示す図である。図６を参照すると、信号抽出部２０４の機能構成例が、信号抽出部２０４−１および信号抽出部２０４−２を区別せずに示されている。図６に示すように、信号抽出部２０４は、ヘッダ検出部２００８と、デマルチプレクサ２００６と、誤り訂正復号器２００４と、ヘッダデコーダ２００５と、ＦＩＦＯ２００３とを備える。
【００６３】
まず、信号抽出部２０４−１について説明する。信号抽出部２０４−１は、フレーム入力端子２００７を介して入力された第１のフレームがヘッダ検出部２００８に入力される前に、シリアルデータからパラレルデータに変換し、パラレルデータに変換された第１のフレームを復号してもよい。具体的には、信号抽出部２０４−１は、第１のフレームに対して８ｂ／１０ｂ復号を行ってもよい。例えば、信号抽出部２０４−１は、第１のフレームのうち、フレーム開始識別子に対応する１０ビットの特殊データを、フレーム開始識別子に置換してもよい。一方、信号抽出部２０４−１は、第１のフレームのうち、残りのデータも８ビットデータに置換してもよい。
【００６４】
ヘッダ検出部２００８は、入力された第１のフレームからヘッダパケット（図５参照）を検出する。より詳細には、特殊コードから置換されたフレーム開始識別子は、第１のフレームの先頭に付されているため、ヘッダ検出部２００８は、フレーム開始識別子を検出し、フレーム開始識別子の位置を第１のフレームの先頭の位置として検出する。ヘッダ検出部２００８は、検出したフレーム開始識別子の位置と第１のフレームとをデマルチプレクサ２００６に出力する。
【００６５】
デマルチプレクサ２００６は、フレーム開始識別子の位置に基づいて、第１のフレームからヘッダパケットと情報パケットおよび誤り訂正パリティとを分離する。より詳細には、デマルチプレクサ２００６は、フレーム開始識別子の位置からｍバイト分に相当するデータをヘッダパケットとして抽出し、ヘッダデコーダ２００５に出力する。
【００６６】
一方、デマルチプレクサ２００６は、ヘッダパケットの直後から（ｎ−ｍ）バイト分に相当するデータを、第１の信号（情報パケット）および誤り訂正パリティとして抽出し、誤り訂正復号器２００４に出力する。なお、第１の信号は、映像音声信号および制御信号のうちの一方であるが、図３に示した例では、上記したように、第１のフレームとして映像音声フレームが受信されるため、第１のフレームから抽出される第１の信号は、映像音声信号である。
【００６７】
誤り訂正復号器２００４は、デマルチプレクサ２００６から入力された（ｎ−ｍ）バイト分に相当するデータのうち、最初のｋバイト分に相当するデータを第１の信号（情報パケット）として抽出し、残りのｌバイト分に相当するデータを誤り訂正パリティとして抽出する。誤り訂正復号器２００４は、第１の信号（情報パケット）と誤り訂正パリティとに基づいて、誤り訂正復号を行い、誤り訂正された情報パケットは、ＦＩＦＯ２００３に出力され、誤り率は、出力端子２０１１を介して誤り率判定部２０８に出力される。
【００６８】
ＦＩＦＯ２００３は、誤り訂正復号器２００４から入力された第１の信号（情報パケット）を取得し、第１の信号（情報パケット）の速度調整を行う。そして、ＦＩＦＯ２００３は、出力端子２００１を介して速度調整後の第１の信号（情報パケット）を信号出力部２０７に出力する。
【００６９】
ヘッダデコーダ２００５は、入力されたヘッダパケットからレーン識別子と情報種類識別子とを抽出する。ヘッダデコーダ２００５は、出力端子２０１１を介して抽出したレーン識別子を誤り率判定部２０８に出力する。一方、ヘッダデコーダ２００５は、出力端子２００２を介して抽出した情報種類識別子を信号出力部２０７に出力する。
【００７０】
続いて、信号抽出部２０４−２について説明する。信号抽出部２０４−２は、フレーム入力端子２００７を介して入力された第２のフレームがヘッダ検出部２００８に入力される前に、シリアルデータからパラレルデータに変換し、パラレルデータに変換された第２のフレームを復号してもよい。具体的には、信号抽出部２０４−２は、第２のフレームに対して８ｂ／１０ｂ復号を行ってもよい。例えば、信号抽出部２０４−２は、第２のフレームのうち、フレーム開始識別子に対応する１０ビットの特殊データを、フレーム開始識別子に置換してもよい。一方、信号抽出部２０４−２は、第２のフレームのうち、残りのデータも８ビットデータに置換してもよい。
【００７１】
ヘッダ検出部２００８は、入力された第２のフレームからヘッダパケット（図５参照）を検出する。より詳細には、特殊コードから置換されたフレーム開始識別子は、第２のフレームの先頭に付されているため、ヘッダ検出部２００８は、フレーム開始識別子を検出し、フレーム開始識別子の位置を第２のフレームの先頭の位置として検出する。ヘッダ検出部２００８は、検出したフレーム開始識別子の位置と第２のフレームとをデマルチプレクサ２００６に出力する。
【００７２】
デマルチプレクサ２００６は、フレーム開始識別子の位置に基づいて、第２のフレームからヘッダパケットと情報パケットおよび誤り訂正パリティとを分離する。より詳細には、デマルチプレクサ２００６は、フレーム開始識別子の位置からｍバイト分に相当するデータをヘッダパケットとして抽出し、ヘッダデコーダ２００５に出力する。
【００７３】
一方、デマルチプレクサ２００６は、ヘッダパケットの直後から（ｎ−ｍ）バイト分に相当するデータを、第２の信号（情報パケット）および誤り訂正パリティとして抽出し、誤り訂正復号器２００４に出力する。なお、第１の信号は、映像音声信号および制御信号のうちの他方であるが、図３に示した例では、上記したように、第２のフレームとして制御フレームが受信されるため、第２のフレームから抽出される第２の信号は、制御信号である。
【００７４】
誤り訂正復号器２００４は、デマルチプレクサ２００６から入力された（ｎ−ｍ）バイト分に相当するデータのうち、最初のｋバイト分に相当するデータを第２の信号（情報パケット）として抽出し、残りのｌバイト分に相当するデータを誤り訂正パリティとして抽出する。誤り訂正復号器２００４は、第２の信号（情報パケット）と誤り訂正パリティとに基づいて、誤り訂正復号を行い、誤り訂正された情報パケットは、ＦＩＦＯ２００３に出力され、誤り率は、出力端子２０１１を介して誤り率判定部２０８に出力される。
【００７５】
ＦＩＦＯ２００３は、誤り訂正復号器２００４から入力された第２の信号（情報パケット）を取得し、第２の信号（情報パケット）の速度調整を行う。そして、ＦＩＦＯ２００３は、出力端子２００１を介して速度調整後の第１の信号（情報パケット）を信号出力部２０７に出力する。
【００７６】
ヘッダデコーダ２００５は、入力されたヘッダパケットからレーン識別子と情報種類識別子とを抽出する。ヘッダデコーダ２００５は、出力端子２０１１を介して抽出したレーン識別子を誤り率判定部２０８に出力する。一方、ヘッダデコーダ２００５は、出力端子２００２を介して抽出した情報種類識別子を信号出力部２０７に出力する。
【００７７】
信号出力部２０７は、入力端子Ｉ−１を介して第１の信号を取得するとともに、入力端子Ｃ−１を介して第１の信号の情報種類識別子を取得する。信号出力部２０７は、第１の信号の情報種類識別子が映像音声信号に対応する情報である場合には、第１の信号を出力端子Ｏ−１（第１の出力部）から出力する。図３に示した例では、上記したように、第１の信号として映像音声信号が抽出され、情報種類識別子は、映像音声信号に対応する情報であるため、第１の信号を出力端子Ｏ−１から映像音声再生器５００に出力する。
【００７８】
また、信号出力部２０７は、入力端子Ｉ−２を介して第２の信号を取得するとともに、入力端子Ｃ−２を介して第２の信号の情報種類識別子を取得する。信号出力部２０７は、第２の信号の情報種類識別子が制御信号に対応する情報である場合には、第２の信号を出力端子Ｏ−２（第２の出力部）から出力する。図３に示した例では、上記したように、第２の信号として制御信号が抽出され、情報種類識別子は、制御信号に対応する情報であるため、第２の信号を出力端子Ｏ−２から映像音声再生器５００に出力する。
【００７９】
映像音声再生器５００は、入力された映像音声信号（ＡＶ情報５０１）を制御信号（制御情報５０２）に従い再生する。映像音声再生器５００は、例えば、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイ、プロジェクタなどの表示装置、ホログラムの表示装置、スピーカおよびヘッドホンなどの音声出力装置などであり得る。
【００８０】
誤り率判定部２０８には、信号抽出部２０４−１から第１のフレームの誤り率が入力され、信号抽出部２０４−２から第２のフレームの誤り率が入力される。誤り率判定部２０８は、第１のフレームの誤り率と第２のフレームの誤り率とが所定の関係を満たすか否かを判定する。ここでは、第１のフレームが映像音声フレームであり、第２のフレームが制御フレームであるため、誤り率判定部２０８は、第２のフレームの誤り率が第１のフレームの誤り率よりも低いか否かを判定する。
【００８１】
制御信号は映像音声信号と比較して高い信頼性（低い誤り率）が要求されるため、送信部２０９は、第２のフレームの誤り率が第１のフレームの誤り率よりも低い場合には、ケーブル３０２を介してその旨を送信器１００に送信する。ここでは、第２のフレームの誤り率が第１のフレームの誤り率より低いため、その旨が送信器１００に送信された場合を想定する。なお、ケーブル３０２を流れる信号の種類も特に限定されないため、ケーブル３０２を流れる信号は、光信号であってもよいし、電気信号であってもよい。
【００８２】
送信器１００において、受信部１０９は、受信器２００から出力切り替え指示を受信すると、フレーム出力部１０７に出力切り替え指示を出力する。
【００８３】
フレーム出力部１０７は、受信部１０９から出力切り替え指示が入力されると、出力端子ＬＮを介してフレーム生成部１０４−１に対してレーン識別子変更指示を出力するとともに、フレーム生成部１０４−１から入力端子Ｉ−１を介して入力された映像音声フレームを、出力端子Ｏ−２を介してＬＤ１０１−２に出力するように切り替えを行う。フレーム生成部１０４−１は、フレーム出力部１０７から出力切り替え指示が入力されると、映像音声フレームに付されたレーン識別子に伝送路３０１−２の識別子を設定する。
【００８４】
一方、フレーム出力部１０７は、受信部１０９から出力切り替え指示が入力されると、出力端子ＬＮを介してフレーム生成部１０４−２に対してレーン識別子変更指示を出力するとともに、フレーム生成部１０４−１から入力端子Ｉ−２を介して入力された制御フレームを、出力端子Ｏ−１を介してＬＤ１０１−１に出力するように切り替えを行う。フレーム生成部１０４−２は、フレーム出力部１０７から出力切り替え指示が入力されると、制御フレームに付されたレーン識別子に伝送路３０１−１の識別子を設定する。
【００８５】
このような切り替えによって、映像音声フレームが伝送路３０１−２を介して送信され、制御フレームが伝送路３０１−１を介して送信されるようにレーン切り替えが行われる。そのため、映像音声信号と比較して高い信頼性（低い誤り率）が要求される制御信号が正しく伝送される可能性を高めることが可能となる。
【００８６】
受信器２００においては、ＰＤ２０１−１によって第１のフレームとして制御フレームが受信され、ＰＤ２０１−２によって第２のフレームとして映像音声フレームが受信される。信号出力部２０７は、信号抽出部２０４−１によって抽出された第１の信号の情報種類識別子が制御信号に対応する情報である場合には、第１の信号を出力端子Ｏ−２から出力する。ここでは、第１の信号として制御信号が抽出され、情報種類識別子は、制御信号に対応する情報であるため、第１の信号を出力端子Ｏ−２から映像音声再生器５００に出力する。
【００８７】
また、信号出力部２０７は、信号抽出部２０４−２によって抽出された第２の信号の情報種類識別子が映像音声信号に対応する情報である場合には、第２の信号を出力端子Ｏ−１から出力する。ここでは、第２の信号として映像音声信号が抽出され、情報種類識別子は、映像音声信号に対応する情報であるため、第２の信号を出力端子Ｏ−１から映像音声再生器５００に出力する。
【００８８】
このようにして、受信器２００においても、信号出力部２０７による出力切り替えがなされることによって、映像音声信号および制御信号が映像音声再生器５００に対して所望の位置に出力される。
【００８９】
（２．２．コネクタの上下向きが逆の場合）
続いて、コネクタの上下向きが逆の状態について説明する。図７は、本実施形態に係る画像伝送システムの構成の他の一例を示す図である。図７に示した例では、送信器１００のＬＤ１０１−１とケーブル３００のコネクタＣＮ１とが接続され、受信器２００のＰＤ２０１−２とケーブル３００のコネクタＣＮ１とが接続されている。また、送信器１００のＬＤ１０１−２とケーブル３００のコネクタＣＮ２とが接続され、受信器２００のＰＤ２０１−１とケーブル３００のコネクタＣＮ２とが接続されている。このような状態はコネクタの上下向きが逆の状態である。
【００９０】
送信器１００は、コネクタの上下向きが逆の場合であっても、コネクタの上下向きが正常である場合と同様に動作する。そのため、コネクタの上下向きが逆の場合における送信器１００の動作の説明は省略する。以下、コネクタの上下向きが逆の場合における受信器２００の動作のうち、コネクタの上下向きが正常である場合における受信器２００の動作と同様な動作について説明を省略し、異なる動作について主に説明する。
【００９１】
受信器２００において、ＰＤ２０１−１には、送信器１００から送信された第１のフレーム（映像音声フレームおよび制御フレームのうちの一方）を受信する。また、ＰＤ２０１−２は、送信器１００から光信号によって送信された第２のフレーム（映像音声フレームおよび制御フレームのうちの他方）を受信する。
【００９２】
図７に示した例では、ＰＤ２０１−１は、コネクタＣＮ２と伝送路３０１−２とを介してＬＤ１０１−２と接続されている。そこで、ＰＤ２０１−１は、ＬＤ１０１−２によって送信された制御フレームを第１のフレームとして、コネクタＣＮ２と伝送路３０１−２とを介して受信する。一方、ＰＤ２０１−２は、コネクタＣＮ１と伝送路３０１−１とを介してＬＤ１０１−１と接続されている。そこで、ＰＤ２０１−２は、ＬＤ１０１−１によって送信された映像音声フレームを第２のフレームとして、コネクタＣＮ１と伝送路３０１−１とを介して受信する。
【００９３】
信号抽出部２０４−１には、ＰＤ２０１−１から増幅器２０２−１を介して第１のフレームが入力され、信号抽出部２０４−２には、ＰＤ２０１−２から増幅器２０２−２を介して第２のフレームが入力される。まず、信号抽出部２０４−１について説明する。
【００９４】
デマルチプレクサ２００６は、ヘッダパケットの直後から（ｎ−ｍ）バイト分に相当するデータを、第１の信号（情報パケット）および誤り訂正パリティとして抽出し、誤り訂正復号器２００４に出力する。第１の信号は、映像音声信号および制御信号のうちの一方であるが、図７に示した例では、上記したように、第１のフレームとして制御フレームが受信されるため、第１のフレームから抽出される第１の信号は、制御信号である。
【００９５】
続いて、信号抽出部２０４−２について説明する。デマルチプレクサ２００６は、ヘッダパケットの直後から（ｎ−ｍ）バイト分に相当するデータを、第２の信号（情報パケット）および誤り訂正パリティとして抽出し、誤り訂正復号器２００４に出力する。第２の信号は、映像音声信号および制御信号のうちの他方であるが、図７に示した例では、上記したように、第２のフレームとして映像音声フレームが受信されるため、第２のフレームから抽出される第２の信号は、映像音声信号である。
【００９６】
信号出力部２０７は、入力端子Ｉ−１を介して第１の信号を取得するとともに、入力端子Ｃ−１を介して第１の信号の情報種類識別子を取得する。信号出力部２０７は、第１の信号の情報種類識別子が制御信号に対応する情報である場合には、第１の信号を出力端子Ｏ−２（第２の出力部）から出力する。図７に示した例では、上記したように、第１の信号として制御信号が抽出され、情報種類識別子は、制御信号に対応する情報であるため、第１の信号を出力端子Ｏ−２から映像音声再生器５００に出力する。
【００９７】
また、信号出力部２０７は、入力端子Ｉ−２を介して第２の信号を取得するとともに、入力端子Ｃ−２を介して第２の信号の情報種類識別子を取得する。信号出力部２０７は、第２の信号の情報種類識別子が映像音声信号に対応する情報である場合には、第２の信号を出力端子Ｏ−１（第１の出力部）から出力する。図７に示した例では、上記したように、第２の信号として映像音声信号が抽出され、情報種類識別子は、映像音声信号に対応する情報であるため、第２の信号を出力端子Ｏ−１から映像音声再生器５００に出力する。
【００９８】
映像音声再生器５００は、入力された映像音声信号（ＡＶ情報５０１）を制御信号（制御情報５０２）に従い再生する。以上に説明した受信器２００が有する機能により、映像音声再生器５００は、コネクタの上下向きが逆の場合であっても、コネクタの上下向きが正常である場合と同様に、受信器２００から送信された制御信号に従って映像音声信号を再生することが可能となる。
【００９９】
誤り率判定部２０８には、信号抽出部２０４−１から第２のフレームの誤り率が入力され、信号抽出部２０４−２から第１のフレームの誤り率が入力される。誤り率判定部２０８は、第１のフレームの誤り率と第２のフレームの誤り率とが所定の関係を満たすか否かを判定する。ここでは、第１のフレームが制御フレームであり、第２のフレームが映像音声フレームであるため、第１のフレームの誤り率が第２のフレームの誤り率よりも低いか否かを判定する。
【０１００】
制御信号は映像音声信号と比較して高い信頼性（低い誤り率）が要求されるため、送信部２０９は、第１のフレームの誤り率が第２のフレームの誤り率よりも低い場合には、ケーブル３０２を介してその旨を送信器１００に送信する。ここでは、第１のフレームの誤り率が第２のフレームの誤り率より低いため、その旨が送信器１００に送信された場合を想定する。
【０１０１】
送信器１００において、受信部１０９は、受信器２００から出力切り替え指示を受信すると、フレーム出力部１０７に出力切り替え指示を出力する。
【０１０２】
フレーム出力部１０７は、受信部１０９から出力切り替え指示が入力されると、出力端子ＬＮを介してフレーム生成部１０４−１に対してレーン識別子変更指示を出力するとともに、フレーム生成部１０４−１から入力端子Ｉ−１を介して入力された映像音声フレームを、出力端子Ｏ−１を介してＬＤ１０１−１に出力するように切り替えを行う。フレーム生成部１０４−１は、フレーム出力部１０７から出力切り替え指示が入力されると、制御フレームに付されたレーン識別子に伝送路３０１−１の識別子を設定する。
【０１０３】
一方、フレーム出力部１０７は、受信部１０９から出力切り替え指示が入力されると、出力端子ＬＮを介してフレーム生成部１０４−２に対してレーン識別子変更指示を出力するとともに、フレーム生成部１０４−２から入力端子Ｉ−２を介して入力された制御フレームを、出力端子Ｏ−２を介してＬＤ１０１−２に出力するように切り替えを行う。フレーム生成部１０４−２は、フレーム出力部１０７から出力切り替え指示が入力されると、制御フレームに付されたレーン識別子に伝送路３０１−２の識別子を設定する。
【０１０４】
このような切り替えによって、映像音声フレームが伝送路３０１−１を介して送信され、制御フレームが伝送路３０１−２を介して送信されるようにレーン切り替えが行われる。そのため、映像音声信号と比較して高い信頼性（低い誤り率）が要求される制御信号が正しく伝送される可能性を高めることが可能となる。
【０１０５】
受信器２００においては、ＰＤ２０１−１によって第１のフレームとして映像音声フレームが受信され、ＰＤ２０１−２によって第２のフレームとして制御フレームが受信される。信号出力部２０７は、信号抽出部２０４−１によって抽出された第１の信号の情報種類識別子が映像音声信号に対応する情報である場合には、第１の信号を出力端子Ｏ−１から出力する。ここでは、第１の信号として映像音声信号が抽出され、情報種類識別子は、映像音声信号に対応する情報であるため、第１の信号を出力端子Ｏ−１から映像音声再生器５００に出力する。
【０１０６】
また、信号出力部２０７は、信号抽出部２０４−２によって抽出された第２の信号の情報種類識別子が制御信号に対応する情報である場合には、第２の信号を出力端子Ｏ−２から出力する。ここでは、第２の信号として制御信号が抽出され、情報種類識別子は、制御信号に対応する情報であるため、第２の信号を出力端子Ｏ−２から映像音声再生器５００に出力する。
【０１０７】
このようにして、受信器２００においても、信号出力部２０７による出力切り替えがなされることによって、映像音声信号および制御信号が映像音声再生器５００に対して所望の位置に出力される。
【０１０８】
＜３．むすび＞
以上説明したように、本開示の実施形態によれば、所定のデータ容量をフレーム単位とするフォーマットにより映像音声信号から１以上の映像音声フレームを生成するフレーム生成部１０４−１と、所定のデータ容量と同一のデータ容量をフレーム単位とするフォーマットにより制御信号から１以上の制御フレームを生成するフレーム生成部１０４−２と、を備える、フレーム生成装置１００が提供される。かかる構成によれば、映像音声フレームと制御フレームとでフォーマットが共通化されることによって、コネクタの上下向きを逆にしても、コネクタを介して映像音声信号および制御信号を伝送することが可能となる。
【０１０９】
また、本開示の実施形態によれば、映像音声フレームの誤り率よりも制御フレームの誤り率が低い場合に、映像音声フレームおよび制御フレームそれぞれが伝送されるレーンを切り替えることが可能である。かかる構成によれば、映像音声信号と比較して高い信頼性（低い誤り率）が要求される制御信号が正しく伝送される可能性を高めることが可能となる。
【０１１０】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１１１】
例えば、映像音声生成器４００、フレーム生成部１０４−１、フレーム生成部１０４−１およびフレーム出力部１０７は、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、信号抽出部２０４−１、信号抽出部２０４−２、信号出力部２０７および誤り率判定部２０８は、別個のＩＣに実装されてもよいし、いずれかの組み合わせが同一のＩＣに実装されてもよい。
【０１１２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１１３】
なお、以下のような構成も本開示の技術的範囲に属する。
（１）
所定のデータ容量をフレーム単位とするフォーマットにより映像音声信号から１以上の映像音声フレームを生成する第１のフレーム生成部と、
前記所定のデータ容量と同一のデータ容量をフレーム単位とするフォーマットにより制御信号から１以上の制御フレームを生成する第２のフレーム生成部と、
を備える、フレーム生成装置。
（２）
前記第１のフレーム生成部は、前記映像音声フレームそれぞれの先頭にフレーム開始識別子を付し、
前記第２のフレーム生成部は、前記制御フレームそれぞれの先頭に前記フレーム開始識別子を付する、
前記（１）に記載のフレーム生成装置。
（３）
前記フレーム開始識別子は、少なくとも前記映像音声信号および前記制御信号には存在しない所定のコードに置換される、
前記（２）に記載のフレーム生成装置。
（４）
前記第１のフレーム生成部は、前記映像音声フレームそれぞれの所定位置に第１の伝送路を識別するための情報をレーン識別子として付し、
前記第２のフレーム生成部は、前記制御フレームそれぞれの所定位置に第２の伝送路を識別するための情報をレーン識別子として付する、
前記（１）〜（３）のいずれか一項に記載のフレーム生成装置。
（５）
前記フレーム生成装置は、
前記映像音声フレームを前記第１の伝送路に接続された第１の送信部に出力するとともに、前記制御フレームを前記第２の伝送路に接続された第２の送信部に出力するフレーム出力部を備える、
前記（４）に記載のフレーム生成装置。
（６）
前記フレーム出力部は、前記制御フレームの誤り率が前記映像音声フレームの誤り率よりも低い場合、新たな映像音声フレームを前記第２の送信部に出力するように切り替えを行い、新たな制御フレームを前記第１の送信部に出力するように切り替えを行う、
前記（５）に記載のフレーム生成装置。
（７）
前記第１のフレーム生成部は、前記映像音声フレームそれぞれの所定位置に前記映像音声信号に対応する情報を情報種類識別子として付し、
前記第２のフレーム生成部は、前記制御フレームそれぞれの所定位置に前記制御信号に対応する情報を情報種類識別子として付する、
前記（１）〜（６）のいずれか一項に記載のフレーム生成装置。
（８）
所定のデータ容量をフレーム単位とするフォーマットにより映像音声信号から１以上の映像音声フレームを生成することと、
前記所定のデータ容量と同一のデータ容量をフレーム単位とするフォーマットにより制御信号から１以上の制御フレームを生成することと、
を含む、フレーム生成方法。
（９）
所定のデータ容量をフレーム単位とする１以上の第１のフレームから第１の信号を抽出する第１の信号抽出部と、
前記所定のデータ容量と同一のデータ容量をフレーム単位とする１以上の第２のフレームから第２の信号を抽出する第２の信号抽出部と、を備え、
映像音声信号および制御信号のうち、一方が前記第１の信号であり、他方が前記第２の信号である、信号抽出装置。
（１０）
前記第１の信号抽出部は、前記第１のフレームの先頭に付されたフレーム開始識別子の位置に基づいて前記第１の信号を抽出し、
前記第２の信号抽出部は、前記第２のフレームの先頭に付された前記フレーム開始識別子の位置に基づいて前記第２の信号を抽出する、
前記（９）に記載の信号抽出装置。
（１１）
前記フレーム開始識別子は、少なくとも前記映像音声信号および前記制御信号には存在しない所定のコードから置換される、
前記（１０）に記載の信号抽出装置。
（１２）
前記第１の信号抽出部は、前記第１のフレームそれぞれからレーン識別子を抽出し、
前記第２の信号抽出部は、前記第２のフレームそれぞれからレーン識別子を抽出する、
前記（９）〜（１１）のいずれか一項に記載の信号抽出装置。
（１３）
前記信号抽出装置は、
前記第１のフレームから抽出された前記レーン識別子が第１の伝送路を識別するための情報である場合には、前記第１の信号を第１の出力部から出力するとともに、前記第２の信号を第２の出力部から出力する信号出力部を備える、
前記（１２）に記載の信号抽出装置。
（１４）
前記信号出力部は、前記第１のフレームから抽出された前記レーン識別子が第２の伝送路を識別するための情報である場合には、前記第１の信号を前記第２の出力部から出力し、前記第２の信号を前記第１の出力部から出力するように切り替えを行う、
前記（１３）に記載の信号抽出装置。
（１５）
前記第１の信号抽出部は、前記第１のフレームそれぞれから情報種類識別子を抽出し、
前記第２の信号抽出部は、前記第２のフレームそれぞれから情報種類識別子を抽出する、
前記（９）〜（１２）のいずれか一項に記載の信号抽出装置。
（１６）
前記信号抽出装置は、
前記第１のフレームから抽出された前記情報種類識別子が前記映像音声信号に対応する情報である場合には、前記第１の信号を第１の出力部から出力するとともに、前記第２の信号を第２の出力部から出力する信号出力部を備える、
前記（１５）に記載の信号抽出装置。
（１７）
前記信号出力部は、前記第１のフレームから抽出された前記情報種類識別子が前記制御信号に対応する情報である場合には、前記第１の信号を前記第２の出力部から出力し、前記第２の信号を前記第１の出力部から出力するように切り替えを行う、
前記（１６）に記載の信号抽出装置。
（１８）
前記信号抽出装置は、
前記第２のフレームの誤り率が前記第１のフレームの誤り率よりも低いか否かを判定する誤り率判定部を備える、
前記（１５）〜（１７）のいずれか一項に記載の信号抽出装置。
（１９）
所定のデータ容量をフレーム単位とする１以上の第１のフレームから第１の信号を抽出することと、
前記所定のデータ容量と同一のデータ容量をフレーム単位とする１以上の第２のフレームから第２の信号を抽出することと、を含み、
映像音声信号および制御信号のうち、一方が前記第１の信号であり、他方が前記第２の信号である、信号抽出方法。
（２０）
所定のデータ容量をフレーム単位とするフォーマットにより映像音声信号から１以上の映像音声フレームを生成する第１のフレーム生成部と、
前記所定のデータ容量と同一のデータ容量をフレーム単位とするフォーマットにより制御信号から１以上の制御フレームを生成する第２のフレーム生成部と、
前記映像音声フレームを送信する第１の送信部と、
前記制御フレームを送信する第２の送信部と、を備える、送信器と、
前記所定のデータ容量をフレーム単位とする１以上の第１のフレームを受信する第１の受信部と、
前記所定のデータ容量と同一のデータ容量をフレーム単位とする１以上の第２のフレームを受信する第２の受信部と、
前記第１のフレームから第１の信号を抽出する第１の信号抽出部と、
前記第２のフレームから第２の信号を抽出する第２の信号抽出部と、を備え、
前記映像音声信号および前記制御信号のうち、一方が前記第１の信号であり、他方が前記第２の信号である、受信器と、
を有する、画像伝送システム。
【符号の説明】
【０１１４】
１００  送信器（フレーム生成装置）
１０４  フレーム生成部
１００３  ＦＩＦＯ
１００４  訂正符号化器
１００５  ヘッダ生成部
１００６  マルチプレクサ
１０７  フレーム出力部
１０９  受信部
２００  受信器
２０４  信号抽出部
２００３  ＦＩＦＯ
２００４  訂正復号器
２００５  ヘッダデコーダ
２００６  デマルチプレクサ
２００８  ヘッダ検出部
２０７  信号出力部
２０８  誤り率判定部
２０９  送信部
３００  ケーブル
３０１  伝送路
４００  映像音声生成器
４０１，５０１  ＡＶ情報（映像音声信号）
４０２，５０２  制御情報（制御信号）
５００  映像音声再生器
６００  画像伝送システム
【図１】
2017085968.tif 000003
【図２】
2017085968.tif 000004
【図３】
2017085968.tif 000005
【図４】
2017085968.tif 000006
【図５】
2017085968.tif 000007
【図６】
2017085968.tif 000008
【図７】
2017085968.tif 000009
【国際調査報告】
2017085968.tif 000010
2017085968.tif 000011
2017085968.tif 000012
2017085968.tif 000013